(57)【要約】【課題】本体装置にディスプレイを容易に着脱することが可能となる一体型ディスプレイの着脱機構を提供する。【解決手段】ディスプレイ側に装着板と、押し下げ柱とを備え、本体装置側にディスプレイの装着時に装着板によって押される装着板受部及び取り外し時に押し下げ柱によって押される押し下げ柱受部を有するディスプレイ係止部と、ディスプレイ係止部を摺動可能に格納する本体空洞部と、本体空洞部に連通する本体側溝部及び挿通孔と、を備え、押し下げ柱受部は押し下げ柱により押され、ディスプレイ係止部が後退に移動することによりディスプレイは自重により移動して取り外すことができる状態になる。【選択図】図６
2011048657.tif 000002
【特許請求の範囲】
【請求項１】
ディスプレイに設けられた装着板と、
前記ディスプレイに設けられた押し下げ柱と、
本体装置に設けられ、前記ディスプレイの装着時に前記装着板によって押される装着板受部及び前記ディスプレイの取り外し時に前記押し下げ柱によって押される押し下げ柱受部を有するディスプレイ係止部と、
前記本体装置に設けられ、前記ディスプレイ係止部を摺動可能に格納する本体空洞部と、
前記本体空洞部に連通し、前記装着板を装着する着脱孔と前記装着板を支持する支持柱を嵌め込む摺動溝とを備える本体側溝部と、
前記本体空洞部に連通し、前記押し下げ柱を挿通する挿通孔と、を備え、
前記装着板は、
前記ディスプレイが装着されているときに前記装着板受部によって支持され、
前記押し下げ柱によって前記押し下げ柱受部が押されるときにディスプレイ係止部が後退することにより装着板受部が後退し、自重によって下方に移動して外れる
ことを特徴とするディスプレイの着脱機構。
【請求項２】
ディスプレイに設けられた装着板と、
本体装置に設けられ、水平方向に対して９０°未満の角度にて傾斜する着脱孔、及び前記装着板を支持する支持柱を嵌め込む第１の摺動溝並びに第２の摺動溝を有する本体側溝部と、
前記本体側溝部と連通する本体空洞部と、を備え、
前記装着板は、
着脱孔に嵌め込まれたときにディスプレイの自重によって回動し、本体装置に係止されることを特徴とするディスプレイの着脱機構。
【請求項３】
前記本体空洞部は、
前記装着板を前記着脱孔に嵌め込んでさらに水平方向まで回動するのに十分な空間を有することを特徴とする請求項２記載のディスプレイの着脱機構。
【請求項４】
前記第１の摺動溝及び前記第２の摺動溝は、
前記着脱孔から前記本体空洞部の低部に達することを特徴とする請求項２記載のディスプレイの着脱機構。
【発明の詳細な説明】
【技術分野】
【０００１】
本発明は、本体装置に一体に装着されるディスプレイの着脱機構に関する。
【背景技術】
【０００２】
パソコンやＰＯＳ端末においては、本体装置に一体にディスプレイが装着されることがある。特にＰＯＳ端末にあっては、操作者側のディスプレイに加えて顧客側にもディスプレイを取り付ける場合がある。これらのディスプレイを本体装置に着脱する際、重いディスプレイを抱えながらビス止め等を行う必要があり、作業性が悪いという問題点があった。
【０００３】
この点に関し、ディスプレイに水平方向に延びる軸を設置し、本体側にこの軸を受けるＵ字型の溝を上部が開口するように設け、ディスプレイを持ち上げて着脱する着脱機構が提案されている（例えば、特許文献１）。
【先行技術文献】
【特許文献】
【０００４】
【特許文献１】特開２０００−２０８２０号公報
【発明の概要】
【発明が解決しようとする課題】
【０００５】
しかし、特許文献１の技術によっても、重いディスプレイを持ったまま着脱操作を行わなければならず、操作性が依然として悪いという問題点がある。
【０００６】
本発明は、本体装置にディスプレイを容易に着脱することが可能となる一体型ディスプレイの着脱機構を提供することを目的とする。
【課題を解決するための手段】
【０００７】
本発明は、ディスプレイに設けられた装着板と、ディスプレイに設けられた押し下げ柱と、本体装置に設けられ、ディスプレイの装着時に装着板によって押される装着板受部及びディスプレイの取り外し時に前記押し下げ柱によって押される押し下げ柱受部を有するディスプレイ係止部と、本体装置に設けられ、ディスプレイ係止部を摺動可能に格納する本体空洞部と、本体空洞部に連通し、装着板を装着する着脱孔と装着板を支持する支持柱を嵌め込む摺動溝とを備える本体側溝部と、本体空洞部に連通し、押し下げ柱を挿通する挿通孔と、を備え、装着板は、ディスプレイが装着されているときに装着板受部によって支持され、押し下げ柱によって押し下げ柱受部が押されるときにディスプレイ係止部が後退することにより装着板受部が後退し、自重によって下方に移動して外れることを特徴とするディスプレイの着脱機構を提供する。
【発明の効果】
【０００８】
本体装置にディスプレイを容易に着脱することが可能となるという効果がある。
【図面の簡単な説明】
【０００９】
【図１】ディスプレイ一体型のＰＯＳ端末の例を示す正面斜視図である。
【図２】ディスプレイ一体型のＰＯＳ端末の例を示す背面斜視図である。
【図３】第１の実施形態の着脱装置の本体側溝部と挿通孔を示す図である。
【図４】図３のＡＡ線断面図及びディスプレイ側着脱機構の側面図である。
【図５】第１の実施形態におけるディスプレイの装着方法を示す図である。
【図６】第１の実施形態におけるディスプレイの装着時の状態を示す図である。
【図７】第１の実施形態におけるディスプレイの取り外し方法を示す図である。
【図８】第１の実施形態におけるディスプレイの取り外し中の様子を示す図である。
【図９】第２の実施形態の着脱装置の本体側溝部を示す図である。
【図１０】第２の実施形態におけるディスプレイの装着方法を示す図である。
【図１１】第２の実施形態におけるディスプレイの嵌合時の状態を示す図である。
【図１２】第２の実施形態におけるディスプレイの装着時の状態を示す図である。
【発明を実施するための形態】
【００１０】
以下に、本発明の一実施形態に係る一体型ディスプレイの着脱機構を、図面を参照して詳細に説明する。図１は、ディスプレイ一体型のＰＯＳ端末１０の例を示す正面斜視図である。図１に示すように、ディスプレイ一体型のＰＯＳ端末１０は、電源ユニット、制御部、記憶装置、インターフェース等を格納する本体装置１１と、操作者側ディスプレイ１２と、顧客側ディスプレイ１３と、を備える。
【００１１】
顧客側ディスプレイ１３は、オプションとして設置されることがあり、着脱作業が操作者側ディスプレイ１２より頻繁に行われる。
【００１２】
図２は、ディスプレイ一体型のＰＯＳ端末１０の例を示す背面斜視図である。図２に示すように、本体装置１１は顧客側ディスプレイ１３を着脱するための着脱機構１４を背面上部に有する。
【００１３】
（第１の実施形態）
図３は、第１の実施形態の着脱装置の本体側溝部３０と挿通孔３３を示す図である。図３に示すように、本体装置１１は、背面部の位置１４に本体側溝部３０と挿通孔３３とを備える。
【００１４】
本体側溝部３０は、ディスプレイに設けられた装着板１３Ａを装着するための着脱孔３１と、装着板１３Ａを支持する支持柱１３Ｂを嵌め込む摺動溝３２とを備える。挿通孔３３は、本体側溝部３０の下方に設けられる。
【００１５】
本体側溝部３０と挿通孔３３とは、本体装置１１の背面の位置１４に設けられた空洞である本体空洞部３４とつながっている。挿通孔３３はディスプレイ１３に設けられた押し下げ柱１３Ｅを挿通する。
【００１６】
図４は、図３のＡＡ線断面図及びディスプレイ側着脱機構の側面図である。図４に示すように、本体空洞部３４は内部にディスプレイ係止部４０を摺動可能に嵌合する。
【００１７】
ディスプレイ係止部４０は、装着板１３Ａによって押される装着板受部４１と、押し下げ柱１３Ｅによって押される押し下げ柱受部４２と、を備える。ディスプレイ係止部４０は、例えばバネのような弾性体によって装着されるディスプレイの方向に付勢される。
【００１８】
本体空洞部３４は、装着板受部４１の上方に装着板１３Ａが嵌り込むのに十分な空間を有する。本体空洞部３４は、装着板受部４１が装着板１３Ａによって押圧されて移動する方向に、装着板１３Ａの厚さ分の空間を有する。
【００１９】
顧客側ディスプレイ１３は、背面に支持柱１３Ｂを軸１３Ｃによって回動可能に支持する突起部１３Ｄと、押し下げ柱１３Ｅと、を有する。支持柱１３Ｂの先端には装着板１３Ａが設けられる。突起部１３Ｄと押し下げ柱１３Ｅとの外側距離Ｗ１は、摺動溝３２の上端と挿通孔３３の下端の距離Ｗ２と等しいか、押し下げ柱１３Ｅが挿通孔３３に挿通できる範囲内において距離Ｗ２より短い。
【００２０】
顧客側ディスプレイ１３から装着板１３Ａ先端までの高さＨ１は、装着板１３Ａの厚み分と等しいかそれ以上に押し下げ柱１３Ｅの高さＨ２より高い。
【００２１】
図５は、第１の実施形態におけるディスプレイ１３の装着方法を示す図である。図５に示すように、装着板１３Ａが装着板受部４１に押しあてられ、ディスプレイ係止部４０が矢印Ｘ２の方向に移動される。さらに、ディスプレイ１３とともに装着板１３Ａは上方に押し上げられる。すなわち、ディスプレイ１３とともに装着板１３Ａは矢印Ｘ１のように移動される。
【００２２】
図６は、第１の実施形態におけるディスプレイ１３の装着時の状態を示す図である。図５に示すように、ディスプレイ１３とともに装着板１３Ａは矢印Ｘ１のように移動されると、図６に示すようにディスプレイ係止部４０が手前側、すなわち矢印Ｘ３の方向に移動する。ディスプレイ係止部４０の装着板受部４１が装着板１３Ａの下方への移動を阻止するため、ディスプレイ１３は本体装置１１に係止される。
【００２３】
図７は、第１の実施形態におけるディスプレイ１３の取り外し方法を示す図である。図８は、第１の実施形態におけるディスプレイ１３の取り外し中の様子を示す図である。図７及び図８に示すように、ディスプレイ１３の押し下げ柱１３Ｅが矢印Ｘ４の方向に挿通孔３３に差し入れられる。押し下げ柱受部４２は押し下げ柱１３Ｅにより押され、ディスプレイ係止部４０が奥側、すなわち矢印Ｘ６の方向に移動される。
【００２４】
ディスプレイ係止部４０が奥側、すなわち矢印Ｘ６の方向に後退すると、装着板１３Ａを支えていた装着板受部４１も矢印Ｘ６方向に後退する。支えがなくなった装着板１３Ａはディスプレイ１３とともに自重により下方に移動して外れる。
【００２５】
挿通孔３３は押し下げ柱１３Ｅが移動する距離より半径が大きく形成される。従って、ディスプレイ１３が下方に移動中も押し下げ柱１３Ｅは押し下げ柱受部４２が矢印Ｘ６と逆方向に戻るのを阻止し続けることができる。
【００２６】
以上述べたように、本実施形態の着脱装置は、ディスプレイ１３側に装着板１３Ａと、押し下げ柱１３Ｅとを備え、本体装置１１側にディスプレイ１３の装着時に装着板１３Ａによって押される装着板受部４１及び取り外し時に押し下げ柱１３Ｅによって押される押し下げ柱受部４２を有するディスプレイ係止部４０と、ディスプレイ係止部４０を摺動可能に格納する本体空洞部３４と、本体空洞部３４に連通する本体側溝部３０及び挿通孔３３と、を備え、押し下げ柱受部４２は押し下げ柱１３Ｅにより押され、ディスプレイ係止部４０が奥側に移動することによりディスプレイ１３は自重により移動して取り外すことができる状態になる。従って、ディスプレイ１３は大きな力をかけずに容易に取り外すことが可能となるという効果がある。
【００２７】
（第２の実施形態）
図９は、第２の実施形態の着脱装置の本体側溝部９０を示す図である。図９に示すように、本体装置１１は、背面部の位置１４に本体側溝部９０を備える。本体側溝部９０はディスプレイ１３に設けられた装着板１３Ａを装着するための着脱孔９１と、装着板１３Ａを支持する支持柱１３Ｂを嵌め込む第１の摺動溝９２と、第２の摺動溝９３と、を備える。
【００２８】
着脱孔９１は水平方向に対して９０°未満の角度にて傾斜して形成される。もっとも望ましくは、着脱孔９１は水平方向に対して６０°以下３０°以上の角度にて傾斜して形成される。この範囲の角度が、最も操作性がよく、装着板１３Ａが衝撃によって外れることがないからである。第１の摺動溝９２は円弧状に湾曲して水平線Ｌまで達する。第２の摺動溝９３も、円弧状に湾曲して水平線Ｌまで達する。
【００２９】
すなわち、第１の摺動溝９２及び第２の摺動溝９３は、着脱孔９１から本体装置１１の背面の位置１４に設けられた空洞である本体空洞部９４の低部に達する。従って、着脱孔９１が反時計回りに傾斜しているとき第１の摺動溝９２は第２の摺動溝９３より長くなる。
【００３０】
本体側溝部９０は、本体空洞部９４とつながっている。本体空洞部９４は装着板１３Ａを着脱孔９１に嵌め込んでさらに水平方向まで回動することができるために十分な空間が形成される。本体空洞部９４は例えば扇型形状をなしている。
【００３１】
図１０は、第２の実施形態におけるディスプレイ１３の装着方法を示す図である。図１１は、第２の実施形態におけるディスプレイ１３の嵌合時の状態を示す図である。図１０及び図１１に示すように、装着板１３Ａは着脱孔９１に矢印Ｘ７方向に嵌め込まれる。
【００３２】
図１２は、第２の実施形態におけるディスプレイ１３の装着時の状態を示す図である。図１２に示すように、ディスプレイ１３は自重により矢印Ｘ８方向に回動し、本体装置１１に係止される。
【００３３】
ディスプレイ１３を取り外すときは、ディスプレイ１３は矢印Ｘ９の方向に、図１１の状態まで回動され、手前に引き抜かれることにより取り外される。
【００３４】
以上述べたように、本実施形態の着脱装置は、ディスプレイ１３側に装着板１３Ａを備え、本体装置１１側に水平方向に対して９０°未満の角度にて傾斜する着脱孔９１及び支持柱１３Ｂを嵌め込む第１の摺動溝９２並びに第２の摺動溝９３を備える本体側溝部９０と、本体側溝部９０と連通する扇型形状の本体空洞部９４と、を備える。従って、操作者は着脱孔９１に装着板１３Ａを嵌め込むことによりディスプレイは自重により回動して本体装置１１に係止され、大きな力を加える必要がないという効果がある。
【符号の説明】
【００３５】
１１：本体装置、
１３：顧客側ディスプレイ、
１３Ａ：装着板、
１３Ｅ：押し下げ柱、
３０，９０：本体側溝部、
３３：挿通孔、
３４，９４：本体空洞部、
４０：ディスプレイ係止部、
４１：装着板受部、
４２：押し下げ柱受部。
【図１】
2011048657.tif 000003
【図２】
2011048657.tif 000004
【図３】
2011048657.tif 000005
【図４】
2011048657.tif 000006
【図５】
2011048657.tif 000007
【図６】
2011048657.tif 000008
【図７】
2011048657.tif 000009
【図８】
2011048657.tif 000010
【図９】
2011048657.tif 000011
【図１０】
2011048657.tif 000012
【図１１】
2011048657.tif 000013
【図１２】
2011048657.tif 000014